【事件の表示】
　特願２０１７−２３２２６９「電子機器」拒絶査定不服審判事件〔平成３０年　４月　５日出願公開、特開２０１８−　５５７１２、請求項の数（２）〕について、次のとおり審決する。
【結　論】
　原査定を取り消す。
　本願の発明は、特許すべきものとする。
【理　由】
第１　手続の経緯
　本願は、平成２４年９月４日に出願した特願２０１２−１９３７５３号の一部を、平成２８年１１月１日に新たな特許出願とした特願２０１６−２１３９６９号の一部を、平成２９年１２月４日に新たな特許出願としたものであって、平成３０年９月１１日付けで拒絶理由通知がされ、平成３０年１１月１５日に手続補正がされたが、平成３０年１１月２２日付けで拒絶査定がなされ、これに対し、平成３１年２月２６日に拒絶査定不服審判の請求がなされ、令和２年５月７日付けで拒絶理由通知（以下、「当審拒絶理由通知」という。）がされ、令和２年７月７日に手続補正がされたものである。
第２　原査定の概要
　原査定（平成３０年１１月２２日付け拒絶査定）の概要は次のとおりである。
　本願請求項１−２に係る発明は、以下の引用文献Ａ−Ｂに基づいて、その発明の属する技術の分野における通常の知識を有する者（以下、「当業者」という。）が容易に発明をすることができたものであるから、特許法第２９条第２項の規定により特許を受けることができない。
引用文献等一覧
　Ａ．米国特許出願公開第２００９／０２８９９０２号明細書
　Ｂ．特開２０１２−４８３４０号公報
第３　当審拒絶理由の概要
　当審拒絶理由の概要は次のとおりである。
　本願請求項１−２に係る発明は、以下の引用文献１−５に基づいて、当業者が容易に発明をすることができたものであるから、特許法第２９条第２項の規定により特許を受けることができない。
引用文献等一覧
　１．米国特許出願公開第２００９／０２８９９０２号明細書 （拒絶査定時の引用文献Ａ）
　２．特開２００３−１４０８２０号公報（当審において新たに引用した文献）
　３．特開２０１２−１０８５１０号公報（当審において新たに引用した文献）
　４．特開２００９−２１６５０６号公報（当審において新たに引用した文献）
　５．特表２００８−５３７６１１号公報（当審において新たに引用した文献）
第４　本願発明
　本願請求項１−２に係る発明（以下、それぞれ「本願発明１」−「本願発明２」という。）は、令和２年７月７日の手続補正で補正された特許請求の範囲の請求項１−２に記載された事項により特定される発明であり、本願発明１は以下のとおりの発明である。
「【請求項１】
　タッチパネルを有する表示画面と、当該表示画面への画像表示と前記タッチパネルのタッチ操作に基づく各種演算処理を行う制御装置とを備え、
　前記タッチパネルとして、前記表示画面を所定方向に沿って分割する複数の独立配線されたタッチとリリースとを検出可能なセンサーを備え、前記制御装置が、前記複数の独立配線されたタッチとリリースとを検出可能なセンサーへのタッチとリリースの状況を入力し、タッチ操作の種別を判定するタッチ操作判定手段を備え、
　前記タッチ操作判定手段は、前記複数の独立配線されたタッチとリリースとを検出可能なセンサーについて、タッチを検出したセンサーとリリースを検出したセンサーとが同一のセンサーであるか否かを判定し、タッチを検出したセンサーとリリースを検出したセンサーとが同一のセンサーである場合にはそのセンサーへのタッチ操作と判定する一方、タッチを検出したセンサーとリリースを検出したセンサーが異なるセンサーの場合にはフリック操作であると判定する機能を備え、
　前記表示画面及び前記表示画面を所定方向に沿って分割する複数の独立配線されたタッチとリリースとを検出可能なセンサーを筐体の側面に備えるとともに、前記筐体の上面側に前記側面側からみて各々の独立配線されたタッチとリリースとを検出可能なセンサーの上方に各々突出する部位を設けること
　を特徴とする電子機器。」
　なお、本願発明２は、上記本願発明１に対応するプログラムの発明であり、本願発明１とカテゴリ表現が異なるだけの発明である。
第５　引用文献、引用発明等
１　引用文献１及び引用発明
（１）　引用文献１
　当審拒絶理由に引用した引用文献１（米国特許出願公開第２００９／０２８９９０２号明細書）には、図面とともに、以下の記載がある（下線は、特に着目した箇所を示す。訳は当審訳。以下同様。）。
ア　段落［００１５］−［００１６］
「[0015]　The proximity sensor device 116 has a sensing region 118 and is implemented with a processing system 119. The proximity sensor device 116 is sensitive to positional input, such as the position or motion of one or more input objects within the sensing region 118. A stylus 114 is shown in FIG. 1 as an exemplary input object, and other examples include a finger (not shown). "Sensing region" 118 as used herein is intended to broadly encompass any space above, around, in and/or near the proximity sensor device 116 wherein the sensor is able to detect an input object. In a conventional embodiment, sensing region 118 extends from a surface of the proximity sensor device 116 in one or more directions into space until the noise and decreased signal prevent accurate object detection. This distance may be on the order of less than a millimeter, millimeters, centimeters, or more, and may vary significantly with the type of position sensing technology used and the accuracy desired. Embodiments of the proximity sensor device 116 may require contact with a surface, either with or without applied pressure. Accordingly, the planarity, size, shape and exact locations of the particular sensing regions 118 can vary widely from embodiment to embodiment.
[0016]　Taking capacitive proximity sensors as an example, sensing regions with rectangular projected shape are common, and many other shapes are possible. For example, depending on the design of the sensor array and surrounding circuitry, shielding from any input objects, and the like, sensing regions 118 can be made to have two-dimensional projections of other shapes. Similar approaches can be used to define the three-dimensional shape of the sensing region. For example, any combination of sensor design, shielding, signal manipulation, and the like can effectively define a sensing region that extends a short or a long distance in the third dimension (into out of the page) in FIG. 1 . With a sensing region that extends almost no distance from an associated surface of the proximity sensor device, input may be recognized and acted upon only when there is physical contact between any input objects and the associated surface. Alternatively, the sensing region may be made to extend a long distance, such that an input object positioned some distance away from a defined surface of proximity sensor device may still be recognized and acted upon. Therefore, interaction with a proximity sensor device may be either through contact or through non-contact proximity.」
（当審訳：
［００１５］　近接センサー装置１１６は、センシング領域１１８を備えており、処理システム１１９とともに実装される。近接センサー装置１１６は、例えば、センシング領域１１８内での１つ又は複数の入力オブジェクトの位置や動きなどのような位置入力を感知できる。図１では、例示的な
入力オブジェクトとして、
指を含
［００１６］　一例として、静電容量型近接センサーでは、長方形の投影形状のセンシング領域が一般的であるが、他の多様な形状が可能である。例えば、センサーアレイや周辺回路のデザイン、任意の入力オブジェクトからのシールドなどにより、センシング領域１１８が、２次元投影の他の形状を持つように作製できる。同様の手法を用いることによって、３次元形状のセンシング形状が定義できる。例えば、センサーのデザイン、シールド、信号操作等の任意の組合せによって、図１における第３次元への（紙面の外への）長短の距離を延在するセンシング領域を実効的に定義できる。
近接センサー装置の関連する表面からほぼ距離を延ばすことのないセンシング領域によれば、任意の入力オブジェクトと関連する表面との間に物理的な接触があるときのみ入力が認識され、作用され
近接センサー装置との相互作用は、接触
によって行われ
イ　段落［００１９］
「[0019]　The processing system 119 is coupled to the proximity sensor device 116 and the electronic system 100. The processing system 119 can perform a variety of processes on the signals received from the sensor to implement the proximity sensor device 116. For example, the processing system 119 can select or connect individual sensor electrodes, detect presence/proximity, calculate position or motion information, or interpret object motion as gestures.」
（当審訳：
［００１９］　
処理システム１１９は、近接センサー装置１１６と電子システム１００に結合され
センサーから受信した信号に各種の処理を実行でき
例えば、
個々のセンサー電極を選択、又は、接続して、存在／接近を検出したり、位置又は動きの情報を算出したり、オブジェクトの動きをジェスチャーとして解釈することができ
                                                                             
ウ　段落［００２６］
「[0026]　Likewise, the positional information determined the processing system 119 can be any suitable indicia of object presence. For example, the processing system 119 can be implemented to determine "zero-dimensional" 1-bit positional information (e.g. near/far or contact/no contact) or "one-dimensional" positional information as a scalar (e.g. position or motion along a sensing region). Processing system 119 can also be implemented to determine multi-dimensional positional information as a combination of values (e.g. two-dimensional horizontal/vertical axes, three-dimensional horizontal/vertical/depth axes, angular/radial axes, or any other combination of axes that span multiple dimensions), and the like. Processing system 119 can also be implemented to determine information about time or history.」
（当審訳：
［００２６］　同様に、処理システム１１９が決定する位置情報は、オブジェクトの存在の適切な印であり得る。例えば、
処理システム１１９は、「０次元の」１ビットの位置情報（例えば、近／遠、又は、接触／非接触）を決定するために、あるいは、「１次元の」スカラー値の位置情報（例えば、センシング領域に沿った位置または動き）を決定するように実装することができ
また、数値の組合せとして、多次元の位置情報（例えば、２次元の水平軸／垂直軸、３次元の水平／垂直／深さ軸、角度／放射軸、その他の複数次元にわたる軸の任意の組み合わせ）を決定するように実装でき
エ　段落［００２８］
「[0028]In some embodiments, the proximity sensor device 116 is adapted as part of a touch screen interface. Specifically, the proximity sensor device is combined with a display screen that is overlapped by at least a portion of the sensing region 118. Together the proximity sensor device 116 and the display screen provide a touch screen for interfacing with the electronic system 100. The display screen can be any type of electronic display capable of displaying a visual interface to a user, and can include any type of LED (including organic LED (OLED)), CRT, LCD, plasma, EL or other display technology. When so implemented, the proximity sensor device 116 can be used to activate functions on the electronic system 100, such as by allowing a user to select a function by placing an input object in the sensing region proximate an icon or other user interface element that is associated with or otherwise identifies the function. The user's placement of the object can thus identify the function to the electronic system 100. Likewise, the proximity sensor device 116 can be used to facilitate user interface interactions, such as button functions, scrolling, panning, menu navigation, cursor control, and the like. As another example, the proximity sensor device can be used to facilitate value adjustments, such as by enabling changes to a device parameter. Device parameters can include visual parameters such as color, hue, brightness, and contrast, auditory parameters such as volume, pitch, and intensity, operation parameters such as speed and amplification. In these examples, the proximity sensor device is used to both activate the function and then to perform the adjustment, typically through the use of object motion in the sensing region 118.」
（当審訳：
［００２８］　いくつかの実施形態では、
近接センサー装置１１６は、タッチスクリーンインタフェースの一部として構成され
具体的には、近接センサー装置は、センシング領域１１８の少なくとも一部が上に重ねられた表示画面と結合され
近接センサー装置１１６と表示画面とは、全体として、電子システム１００のインターフェイス用タッチスクリーンを提供
近接センサー装置１１６は、例えば、ボタン機能、スクロール、パン、メニュー・ナビゲーション、カーソル制御等のユーザインターフェース相互作用を容易化するために使用でき
オ　段落［００３０］
「[0030]　It should also be understood that while the embodiments of the invention are to be described herein the context of a fully functioning proximity sensor device, the mechanisms of the present invention are capable of being distributed as a program product in a variety of forms. For example, the mechanisms of the present invention can be implemented and distributed as a proximity sensor program on a computer-readable signal bearing media. Additionally, the embodiments of the present invention apply equally regardless of the particular type of computer-readable signal bearing media used to carry out the distribution. Examples of signal bearing media include: recordable media such as memory sticks/cards/modules and disk drives, which may use flash, optical, magnetic, holographic, or any other storage technology.」
（当審訳：
［００３０］ここで、本発明の実施形態は、
完全に機能する近接センサー装置
の機構は、コンピュータ可読信号保持媒体における近接センサープログラムとして実装して配布でき
カ　段落［００３２］−［００３３］
「[0032]　Turning now to FIG. 2, a method 1200 of producing an output using a proximity sensor device is illustrated. Alternate embodiments of the method can flow differently from what is illustrated in FIG. 2 and described below. For example, other embodiments may have different order of steps and different loops. In general, the method provides improved user interface functionality by facilitating quick and easy data entry on proximity sensors with limited space. For example, the method allows a user to produce a variety of different outputs using a proximity sensor with relatively simple, easy to perform strokes in the sensing region. In such a system the proximity sensor provides a plurality of different outputs that can be produced with a corresponding stroke of object motion. Thus, a user can initiate a desired output with a stroke in a particular location and direction. In one specific example that will be described below, the method 1200 is used to facilitate character entry into a device by enabling the various characters to be produced in response to strokes in various locations and directions in the sensing region.
[0033]　The first step 1202 of method 1200 is to define a plurality of subregions in the sensing region. In general, the subregions are simply defined portions of the sensing region. The size, shape, arrangement and location of the subregions would typically depend on the specific application. In one specific embodiment, the subregions correspond to key areas delineated on a physical surface in the sensing region. This embodiment will be described in greater detail below. In other embodiments, the subregions reside in other locations in the subregions, or do not have any particular relationship between any key areas delineated on a surface of the sensor. It should be noted that these subregions can implemented as defined portions of the sensing region. Thus, the subregions are not required correspond to any particular sensor electrode structure or arrangement. However, in some embodiments, the subregions could be related to the underlying structure or layout of sensor electrodes in the proximity sensor device. For example, for some proximity sensor devices based on capacitive sensing technology, some or all of the subregions can be made to align with one or more boundaries of single or groups of sensor electrodes. Conversely, for other proximity sensor devices based on capacitive sensing technology, there may be no sensor electrode boundaries aligned with the subregions.」
（当審訳：
［００３２］　ここで図２を参照すると、近接センサー装置を用いて出力を生成する方法１２００が示されている。この方法の別の実施形態では、図２に示され、以下に記述されるものとは異なるフローであってもよい。例えば、他の実施形態では、異なる順序のステップや、異なるループを備えてもよい。一般に、この方法によって、
限られたスペースの近接センサーにおいて、迅速かつ簡単なデータ入力を促進することで、改善されたユーザインタフェース機能が提供され
［００３３］　方法１２００の最初のステップ１２０２では、
センシング領域内に複数のサブ領域を定義
サブ領域は、センシング領域の物理的表面に描画(delineate)されたキー領域に対応
サブ領域は、近接センサー装置のセンサー電極の下部構造やレイアウトと関連付けることができ
例えば、静電容量型センシング技術に基づく、一部の近接センサー装置では、一部または全部のサブ領域が、単一のまたは一群のセンサー電極の１つ又は複数の境界と一致するように作製でき
キ　段落［００３５］
「[0035]　The next step 1206 is to detect a stroke of object motion meeting a set of criteria, where the set of criteria includes the stroke traversing across the sensing region. In general, a stroke is defined as a detected instance of object motion crossing at least a portion of the sensing region. For example, when a user swipes a finger across the surface of a sensor, the detected instance of object motion is a stroke that is detected by the sensor. It should be noted that in some embodiments, the locations of the beginning and ending of a stroke will be used to determine the subregion identified by the stroke. These locations can also be used to determine the length of the stroke. In such cases, the beginning and ending of the stroke can be determined when one or more input objects enter and exit of the sensing region, touch and lifts off from particular surfaces, enter or exist particular portions of the sensing region. Beginnings and endings can also be determined based on criteria such as limited amount of motion of an input object during a duration of time, drastic change direction of object motion, low or high speed of the input object, or in any other suitable manner.」
（当審訳：
［００３５］　次のステップ１２０６では、一組の基準に合致するオブジェクトの動きのストロークを検出する。ここで、一組の基準は、センシング領域を横断するストロークを含む。一般的に、ストロークとは、センシング領域の少なくとも一部を横切る、オブジェクトの動きの検出されたインスタンスとして定義される。例えば、ユーザが、センサー表面を横切るように指でスワイプする場合、検出されるオブジェクトの動きのインスタンスは、センサーによって検出されたストロークとなる。いくつかの実施形態では、
ストロークの始まりと終わりの位置が、ストロークが識別するサブ領域の決定に使用され
このような場合、ストロークの始まりと終わりを、１つ又は複数の入力オブジェクトが、
特定の表面にタッチしてからリフトオフするとき
に、決定することができ
ク　段落［００５６］
「[0056]　The delineation of the key serves to identify the approximate location of the key area and its corresponding subregion to the user. Likewise, the delineation of the input options serves to identify the input options associated with the key areas. In this application, the term "delineate" includes any identification of the key area on the surface and/or identification of input options on the surface. Delineation can thus include any representation, including printings, tracings, outlines, or any other symbol depicting or representing the key area and input options to the user. These delineations can be static displays, such as simple printing on the surface using any suitable technique. Alternatively, the delineations can be actively displayed by an electronic display screen when implemented in a touch screen.」
(当審訳：
［００５６］　キーを描画することは、キー領域と、これに対応するサブ領域のおおよその位置を、ユーザが識別するために有益である。同様に、入力オプションを描画することは、キー領域に関連する入力オプションを識別するために有益である。本出願では、
用語“描画(delineate)”は、表面でのキー領域の任意の識別、及び／又は、表面での入力オプションの任意の識別を含
したがって、描画は、任意の表現を含み、
描画は、タッチスクリーンで実施される場合、電子表示画面による動的な表示でもよ
（２）　引用発明
　よって、引用文献１には、次の発明（以下、「引用発明」という。）が開示されているものと認められる。
「入力オブジェクトとして、指を含み、
　近接センサー装置の関連する表面からほぼ距離を延ばすことのないセンシング領域によれば、任意の入力オブジェクトと関連する表面との間に物理的な接触があるときのみ入力が認識され、作用され、近接センサー装置との相互作用は、接触によって行われ、
　処理システム１１９は、近接センサー装置１１６と電子システム１００に結合され、センサーから受信した信号に各種の処理を実行でき、例えば、個々のセンサー電極を選択、又は、接続して、存在／接近を検出したり、位置又は動きの情報を算出したり、オブジェクトの動きをジェスチャーとして解釈することができ、
　処理システム１１９は、「０次元の」１ビットの位置情報（例えば、近／遠、又は、接触／非接触）を決定するために、あるいは、「１次元の」スカラー値の位置情報（例えば、センシング領域に沿った位置または動き）を決定するように実装することができ、また、数値の組合せとして、多次元の位置情報（例えば、２次元の水平軸／垂直軸、３次元の水平／垂直／深さ軸、角度／放射軸、その他の複数次元にわたる軸の任意の組み合わせ）を決定するように実装でき、
　近接センサー装置１１６は、タッチスクリーンインタフェースの一部として構成され、具体的には、近接センサー装置は、センシング領域１１８の少なくとも一部が上に重ねられた表示画面と結合され、近接センサー装置１１６と表示画面とは、全体として、電子システム１００のインターフェイス用タッチスクリーンを提供し、
　近接センサー装置１１６は、例えば、ボタン機能、スクロール、パン、メニュー・ナビゲーション、カーソル制御等のユーザインターフェース相互作用を容易化するために使用でき、
　完全に機能する近接センサー装置の機構は、コンピュータ可読信号保持媒体における近接センサープログラムとして実装して配布でき、
　限られたスペースの近接センサーにおいて、迅速かつ簡単なデータ入力を促進することで、改善されたユーザインタフェース機能が提供され、
　センシング領域内に複数のサブ領域を定義し、サブ領域は、センシング領域の物理的表面に描画(delineate)されたキー領域に対応し、
　サブ領域は、近接センサー装置のセンサー電極の下部構造やレイアウトと関連付けることができ、例えば、静電容量型センシング技術に基づく、一部の近接センサー装置では、一部または全部のサブ領域が、単一のまたは一群のセンサー電極の１つ又は複数の境界と一致するように作製でき、
　ストロークの始まりと終わりの位置が、ストロークが識別するサブ領域の決定に使用され、このような場合、ストロークの始まりと終わりを、１つ又は複数の入力オブジェクトが、特定の表面にタッチしてからリフトオフするときに、決定することができ、
　用語“描画(delineate)”は、表面でのキー領域の任意の識別、及び／又は、表面での入力オプションの任意の識別を含み、したがって、描画は、任意の表現を含み、描画は、タッチスクリーンで実施される場合、電子表示画面による動的な表示でもよい、
　近接センサー装置１１６。」
２　引用文献２−５、周知技術１−３
（１）　周知技術１
　一般に、「所定方向に沿って」複数のセンサーを、直線状に配置することは、周知技術である。
（必要ならば、例えば、
「引用文献２」（
【図２】
「引用文献３」（
【図４】
センサセクションは、１つの直線に沿って配置されている
チャネル２３ａ〜２３ｅを介して
「引用文献４」（
【図１０】
同一形状の３つの電極３１ｂ〜３１ｄが並設され
前記電極３１ｂ〜３１ｄとの間には、それぞれスイッチ３３ａ〜３３ｃが接続されている
「引用文献５」（
【図１】
【図４】
直線状に配置できる
【図５】
直線状の配置に配置された５つの電極パターン６２、６４、６６、６８、７０
各電極パターン６２〜７０は、関連するパルス発生検出回路に電気的に結合され
の各摘記箇所を参照。）
（２）　周知技術２
　一般に、複数のセンサーからの配線を、「独立配線」とすることは周知技術である。
（必要ならば、例えば、上記「（１）」における、「引用文献３」−「引用文献５」の各摘記箇所を参照。）
（３）　周知技術３
　一般に、通常の静止状態での「タッチ操作」と、「フリック操作」などのスライド操作とを、タッチ位置が変化するか否かによって互いに判別することは、周知技術である。
（必要ならば、例えば、「引用文献２」の【図５】、段落【００３９】「【００３９】図５に示すように、タッチパネル２の表示画面２１の
右領域２１Ｂの１点が短く（２秒未満）押圧された場合は
左領域２１Ａの１点が短く（２秒未満）押圧された場合は
入力開始位置が左領域２１Ａ内であり
リリース位置が右領域２１Ｂ内である場合は
左領域２１Ａ及び右領域２１Ｂにおいてこれと逆のタッチ入力があった場合には
の摘記箇所を参照。）
第６　対比・判断
１　本願発明１について
（１）対比
　本願発明１と、引用発明とを対比すると以下のことがいえる。
ア　引用発明の「近接センサー装置１１６」と「表示画面」とが、「
近接センサー装置１１６は、タッチスクリーンインタフェースの一部として構成され
表示画面と結合され
近接センサー装置１１６と表示画面とは、全体として
インターフェイス用タッチスクリーンを提供し
イ　引用発明が「処理システム１１９」と「電子システム１００」とを備えることは、「
処理システム１１９は、
電子システム１００に結合され、センサーから受信した信号に各種の処理を実行でき
ウ　引用発明の近接センサー装置が、「センシング領域内に複数のサブ領域を定義し、
サブ領域は、センシング領域の物理的表面に描画(delineate)されたキー領域に対応し
　
サブ領域は
センサー電極の下部構造やレイアウトと関連付けることができ
全部のサブ領域が、単一の
センサー電極の１つ
の境界と一致する
　
ストロークの始まりと終わりの位置
特定の表面にタッチしてからリフトオフするときに、決定することができ
　
用語“描画(delineate)”は、
タッチスクリーンで実施される場合、電子表示画面による動的な表示でもよい
所定方向に沿って
複数の独立配線された
を、分
、
エ　引用発明の「処理システム１１９」と「電子システム１００」とは、「
処理システム１１９は、
電子システム１００に結合され、センサーから受信した信号に各種の処理を実行でき
存在
を検出し
オブジェクトの動きをジェスチャーとして解釈することができ
ストロークの始まりと終わりの位置が、ストロークが識別するサブ領域の決定に使用され
ストロークの始まりと終わりを、
入力オブジェクトが、特定の表面にタッチしてからリフトオフするときに、決定することができ
複数の独立配線された
、
オ　引用発明の「近接センサー装置１１６」と「表示画面」、及び、「処理システム１１９」と「電子システム１００」とは、全体として、本願発明１の「電子機器」に相当する。
（２）　一致点・相違点
　よって、本願発明１と引用発明との一致点・相違点は次のとおりであるといえる。
［一致点］
「タッチパネルを有する表示画面と、当該表示画面への画像表示と前記タッチパネルのタッチ操作に基づく各種演算処理を行う制御装置とを備え、
　前記タッチパネルとして、前記表示画面を、分割する、タッチとリリースとを検出可能なセンサーを備え、前記制御装置が、前記、タッチとリリースとを検出可能なセンサーへのタッチとリリースの状況を入力し、タッチ操作の種別を判定するタッチ操作判定手段を備え、ること
　を特徴とする電子機器。」
［相違点１］
　本願発明１では、「センサー」が、「前記タッチパネルとして、前記表示画面を
所定方向に沿って
複数の独立配線された
［相違点２］
　本願発明１では、「タッチ操作判定手段」が、「
前記複数の独立配線された
［相違点３］
　本願発明１では、「前記タッチ操作判定手段は、前記複数の独立配線されたタッチとリリースとを検出可能なセンサーについて、タッチを検出したセンサーとリリースを検出したセンサーとが同一のセンサーであるか否かを判定し、タッチを検出したセンサーとリリースを検出したセンサーとが同一のセンサーである場合にはそのセンサーへのタッチ操作と判定する一方、タッチを検出したセンサーとリリースを検出したセンサーが異なるセンサーの場合にはフリック操作であると判定する機能を備える」のに対して、引用発明では、タッチ操作の種別の判定において、「タッチ操作」と「フリック操作」とを、センサーとリリースを検出したセンサーが同一か否かによって判定することが特定されていない点。
［相違点４］
　本願発明１では、「前記表示画面及び前記表示画面を所定方向に沿って分割する複数の独立配線されたタッチとリリースとを検出可能なセンサーを筐体の側面に備えるとともに、前記筐体の上面側に前記側面側からみて各々の独立配線されたタッチとリリースとを検出可能なセンサーの上方に各々突出する部位を設ける」のに対して、引用発明では、本願発明１のような「筐体の上面側に」、「センサーの上方に各々突出する部位を設ける」ことが特定されていない点。
（２）　当審の判断
　事案に鑑みて、上記［相違点４］について先に検討する。
　上記［相違点４］に係る、本願発明１の「前記表示画面及び前記表示画面を所定方向に沿って分割する複数の独立配線されたタッチとリリースとを検出可能なセンサーを筐体の側面に備えるとともに、前記筐体の上面側に前記側面側からみて各々の独立配線されたタッチとリリースとを検出可能なセンサーの上方に各々突出する部位を設ける」という構成は、上記引用文献１−５には記載されておらず、本願出願前において周知技術であるともいえない。ここで、上記引用文献２−５からは、上記「第５」の「２」の「周知技術１」〜「周知技術３」を認定することはできるが、いずれの文献にも、上記［相違点４］に係る構成は開示されていない。
　なお、タッチスクリーン等のタッチ操作部の近傍に、タッチ操作の目印となるような、突出する部位を設けることが、仮に周知技術であるとしても、そのような周知技術に基づいて、引用発明に、本願発明１の上記［相違点４］に係る「前記表示画面及び前記表示画面を所定方向に沿って分割する複数の独立配線されたタッチとリリースとを検出可能なセンサーを筐体の側面に備えるとともに、前記筐体の上面側に前記側面側からみて各々の独立配線されたタッチとリリースとを検出可能なセンサーの上方に各々突出する部位を設ける」という具体的な構成を設けることまでが容易に想到できるとはいえない。
　したがって、他の相違点について検討するまでもなく、本願発明１は、当業者であっても引用発明、引用文献２−５に記載された技術的事項に基づいて容易に発明できたものであるとはいえない。
２　本願発明２
　本願発明２は、本願発明１に対応するプログラムの発明であり、本願発明１とカテゴリ表現が異なるだけの発明であるから、上記［相違点４］に係る「前記表示画面及び前記表示画面を所定方向に沿って分割する複数の独立配線されたタッチとリリースとを検出可能なセンサーを筐体の側面に備えるとともに、前記筐体の上面側に前記側面側からみて各々の独立配線されたタッチとリリースとを検出可能なセンサーの上方に各々突出する部位を設ける」という構成と同一の構成を備えるものであるから、本願発明１と同じ理由により、当業者であっても、引用発明、引用文献２−５に記載された技術的事項に基づいて容易に発明をすることができたものとはいえない。
第７　原査定についての判断
　令和２年７月７日の手続補正により補正された、請求項１−２は、上記［相違点４］に係る「前記表示画面及び前記表示画面を所定方向に沿って分割する複数の独立配線されたタッチとリリースとを検出可能なセンサーを筐体の側面に備えるとともに、前記筐体の上面側に前記側面側からみて各々の独立配線されたタッチとリリースとを検出可能なセンサーの上方に各々突出する部位を設ける」という技術事項を有するものであり、当該技術的事項は、原査定における引用文献Ａ−Ｂには記載されておらず、本願出願前における周知技術でもないので、本願発明１−２は、原査定における引用文献Ａ−Ｂ及び周知技術に基づいて容易に発明をすることができたものではない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。